(57)【特許請求の範囲】
【請求項１】
加盟店の決済端末毎に割り当てられた認証番号の入力を受け付ける入力部と、
入力された前記認証番号と、前記決済端末毎に予め定められ当該決済端末に格納された個体番号と、前記決済端末の電話番号とを端末管理サーバへ送信することにより端末登録依頼又は端末認証依頼を行う端末送信部と、
前記端末管理サーバからの登録結果又は認証結果を受信する結果受信部とを有する決済端末と、
前記認証番号を格納するデータベースと、
前記決済端末からの前記認証番号と、前記個体番号と、前記電話番号とを受信するサーバ受信部と、
前記サーバ受信部が受信した前記認証番号をキーにして、前記個体番号と、前記電話番号を前記データベースに登録する登録部と、
前記サーバ受信部が受信した前記個体番号をキーにして、前記データベースから前記認証番号を読み出し、認証する認証処理部と、
前記登録部による登録結果又は前記認証処理部による認証結果を前記決済端末に送信するサーバ送信部とを有する前記端末管理サーバとを含むことを特徴とする端末認証システム。
【請求項２】
加盟店の決済端末毎に設定された認証番号を入力する認証番号入力ステップと、
端末管理サーバへ前記決済端末の登録を依頼するとき、前記認証番号の入力を受付け、入力された前記認証番号と、前記決済端末毎に予め定められた個体番号と、前記決済端末の電話番号とを前記端末管理サーバへ送信する端末認証登録依頼ステップと、
前記端末管理サーバからの登録結果を受信する登録結果受信ステップと、
前記端末管理サーバへ前記決済端末の認証を依頼するとき、前記認証番号の入力を受付け、入力された前記認証番号と、前記個体番号と、前記電話番号とを前記端末管理サーバへ送信する端末認証依頼ステップと、
前記端末管理サーバからの認証結果を受信する認証結果受信ステップとを前記決済端末であるコンピュータに実行させるための端末認証アプリケーションプログラム。
【請求項３】
請求項２記載の端末認証アプリケーションプログラムから前記決済端末の初期登録を行う場合に、第１の認証番号の入力を受け付ける第１の認証番号入力ステップを有し、予め前記決済端末に登録された前記加盟店の管理者に対して発行された認証番号と、入力された前記第１の認証番号とが一致したときに前記決済端末の初期登録を開始することを特徴とする請求項２記載の端末認証アプリケーションプログラム。
【請求項４】
加盟店の決済端末毎に割り当てた認証番号のリストを格納するデータベースと、
前記決済端末から前記決済端末の認証登録を依頼するとき、前記決済端末に入力された前記認証番号と、前記決済端末毎に予め定められ当該決済端末に格納された個体番号と、前記決済端末の電話番号とを受信するサーバ受信部と、
前記認証番号をキーにして、前記個体番号と前記電話番号とを前記データベースに登録する登録部と、
前記登録部による登録結果を前記決済端末に返信する返信部とを有し、
更に、前記決済端末から前記決済端末の端末認証を依頼するとき、前記サーバ受信部が、前記決済端末に入力された前記認証番号と、前記個体番号と前記電話番号とを受信すると、前記個体番号をキーにして前記認証番号を検索する検索部とを有し、
前記返信部は、前記検索部の検索に基づいて認証結果を前記決済端末へ返信することを特徴とする端末管理サーバ。
【発明の詳細な説明】
【技術分野】
【０００１】
本発明はクレジットカード決済における端末認証システムに関する。
【背景技術】
【０００２】
従来、顧客がクレジットカードを利用して買い物代金の支払を行う場合、店舗側としては、決済専用端末を店舗内のレジ近くに設置し決済を行っていた。この場合、遠隔地にある決済サーバと決済専用端末とで通信を行っているのが一般的であった。一方、近年汎用端末としてのスマートフォンの普及は目ざましいものがある。そこで、店員が決済端末としてのスマートフォンを使用して、遠隔地にある決済サーバと通信を行って顧客のクレジットカードの決済を行う場合がある。そこで決済サーバは、決済端末としてのスマートフォンに対して、端末認証を行う必要がある。
【０００３】
図９は従来の端末認証システムの動作の概略を示すフロー図である。
Ｓ５０１：図示しない端末管理事業者は、加盟店の決済端末９１に対してＩＤを発行する。ＩＤは加盟店の決済端末台数だけ（ここでは３件）発行され、ＩＤ払出しリストとして作成される。
Ｓ５０２：作成された複数のＩＤは、対応するパスワードとともに端末管理サーバ９２に接続されたデータベースに登録される。データベースの格納部にはＩＤ、パスワード、ＩＰアドレス欄を有する。ＩＤ欄には、３件分のＩＤとしてＩＤ１、ＩＤ２、ＩＤ３が格納され、パスワード欄にはパスワードＰＷ１１、ＰＷ１２、ＰＷ１３が格納されるが、ＩＰアドレス欄は空欄である。
【０００４】
Ｓ５０３：端末管理事業者は、該当する件数分のＩＤ、パスワードを加盟店の管理者に対して払い出す。
Ｓ５０４：加盟店の管理者は、所定の決済端末９１に対してＩＤ＝ＩＤ２、パスワード＝ＰＷ１２を払い出す。
Ｓ５０５：その後、決済端末９１を扱う店員は、決済端末９１のアプリケーションプログラムについて初回の起動を行う。
【０００５】
Ｓ５０６：決済端末９１のアプリケーションプログラム内の動作において、店員は、端末登録の動作を行う。即ち、店員は、決済端末９１の図示しない操作表示部の画面から当該決済端末９１に払い出されたＩＤ＝ＩＤ２、パスワード＝ＰＷ１２を入力する。
Ｓ５０７：店員は、決済端末９１の画面から、端末管理サーバ９２に対し端末登録依頼の操作を行う。そうすると決済端末９１は、決済端末９１内のＩＰアドレス１９２．１６８．１１．１２３を抽出し、ＩＤ＝ＩＤ２、パスワード＝ＰＷ１２とともに送信する。
【０００６】
Ｓ５０８：端末管理サーバ９２はこれを受信すると、ＩＤとパスワードをキーにして、データベースの格納部に対してＩＰアドレス＝１９２．１６８．１１．１２３を登録する。
Ｓ５０９：端末管理サーバ９２は、登録結果を決済端末９１に対し返信する。
Ｓ５１０：決済端末９１は端末管理サーバ９２からの登録結果を受信する。
【０００７】
Ｓ５１１：その後、決済端末９１を扱う店員は業務を開始するとき、決済端末９１のアプリケーションプログラムについて次回以降の起動を行う。
Ｓ５１２：顧客がクレジットカードを利用して買い物をする際のクレジットカードの決済に先立ち、店員は端末認証の動作を行う。即ち、店員は、前記端末登録時と同様、決済端末９１の操作表示部の画面から当該決済端末９１に払い出されたＩＤ＝ＩＤ２、パスワード＝ＰＷ１２を入力する。
【０００８】
Ｓ５１３：店員は、決済端末９１の画面を操作し、端末管理サーバ９２に対し、端末認証依頼をする。そうすると決済端末９１は、前記端末登録時と同様、決済端末９１内のＩＰアドレス１９２．１６８．１１．１２３を抽出し、ＩＤ＝ＩＤ２、パスワード＝ＰＷ１２とともに送信する。
Ｓ５１４：端末認証依頼を受信した端末管理サーバ９２は、ＩＰアドレス、ＩＤ及びパスワードをキーにして前記端末認証依頼をチェックする。
Ｓ５１５：端末管理サーバ９２は認証結果が正しいときは、当該認証結果を決済端末９１宛に返信する。
Ｓ５１６：こうして、正しい認証結果を受信した決済端末９１は、その後、店員によって顧客のクレジットカードの利用の決済の手順を行うことができる。
【０００９】
なお、特開２００５−２６７５２９号公報（特許文献１）には、複数のアプリケーションサーバのログイン認証を必要とする際に、シングルサインオンを実現するログイン認証方式が記載されている。特許文献１は、最初に認証を行うと端末のＩＰアドレスがサインオン管理テーブルに格納され、再度の利用時には、サインオン管理テーブルに格納されていればログイン認証成功とする技術である。
【先行技術文献】
【特許文献】
【００１０】
【特許文献１】特開２００５−２６７５２９号公報
【発明の概要】
【発明が解決しようとする課題】
【００１１】
しかしながら、図９で説明した端末認証システムの従来技術によれば、決済端末の端末登録時及び端末認証時に、予め払い出されたＩＤ、パスワードの２種類の情報を入力しなければならないため、入力処理が煩雑であるという問題があった。一方、端末管理事業者としては、加盟店の決済端末に対して決済端末台数分の複数のＩＤとパスワードを発行し、これらのセキュリティ管理を行わなければならない。加盟店の決済端末台数の増加に伴ってこれらの管理が更に煩雑になるという問題があった。
【００１２】
本発明が解決しようとする課題は、決済端末の端末認証時に、入力処理を簡潔にすることを可能にするとともに、端末管理事業者のセキュリティ管理の負担を軽減することを可能とするものである。
【課題を解決するための手段】
【００１３】
上記課題を解決するために本発明に関する端末認証システムは、加盟店の決済端末毎に割り当てられた認証番号の入力を受付ける入力部と、入力された前記認証番号と、前記決済端末毎に予め定められ当該決済端末に格納された個体番号と、前記決済端末の電話番号とを端末管理サーバへ送信する端末送信部と、前記端末管理サーバからの登録結果又は認証結果を受信する結果受信部とを有する決済端末と、前記認証番号のリストを格納するデータベースと、前記決済端末からの前記認証番号と、前記個体番号と、前記電話番号とを受信するサーバ受信部と、前記サーバ受信部が受信した前記認証番号をキーにして、前記個体番号と、前記電話番号を前記データベースに登録する登録部と、前記サーバ受信部が受信した前記個体番号をキーにして、前記データベースから前記認証番号を読み出し、認証する認証処理部と、前記登録部による登録結果又は前記認証処理部による認証結果を前記決済端末に送信するサーバ送信部とを有する前記端末管理サーバとを含むことを特徴とするものである。
【発明の効果】
【００１４】
上記構成を有する本発明によれば、決済端末の端末認証時に、入力処理を簡潔にすることができるとともに、端末管理事業者の端末管理の負担を軽減することを可能とする端末認証システムを提供することを可能とする。
【図面の簡単な説明】
【００１５】
【図１】第１の実施の形態に関する端末認証システムの構成を示すブロック図である。
【図２】第１の実施の形態に関する決済端末１とクレジットカード読取装置４を示す外観図である。
【図３】第１の実施の形態に関する端末認証システムの動作の概略を示すフロー図である。
【図４】第１の実施の形態に関する端末管理サーバ２の番号格納データベース２５の格納状況を示す説明図である。
【図５】第１の実施の形態に関する決済端末１の操作表示部１３の認証番号の入力画面を示す説明図である。
【図６】第１の実施の形態に関する決済端末１の端末登録依頼の動作を示すフローチャートである。
【図７】第１の実施の形態に関する決済端末１の端末認証依頼の動作を示すフローチャートである。
【図８】第１の実施の形態に関する端末管理サーバ２の動作を示すフローチャートである。
【図９】従来の端末認証システムの動作の概略を示すフロー図である。
【発明を実施するための形態】
【００１６】
（第１の実施の形態）
以下、本発明の第１の実施の形態について説明する。図１は第１の実施の形態に関する端末認証システムの構成を示すブロック図である。顧客が買い物をして、顧客のクレジットカードで代金の支払いをする場合、店舗内にいる店員は、携帯している決済端末１によって決済を行う。決済端末１はスマートフォンであり、いわゆる携帯型汎用コンピュータ又はＰＤＡと同等の機能をもつ多機能型携帯電話機でもよい。決済端末１はアプリケーションプログラムをインストールすることによって、所望の機能を有する決済端末１とすることができる。決済端末１は次に図２で説明するクレジットカード読取装置４と接続される。クレジットカード読取装置４は顧客が所持するクレジットカードのカード情報を読み取り、読み取ったカード情報を決済端末１に送る。
【００１７】
決済端末１のカード情報受信部１２は、クレジットカード読取装置４からのカード情報を受信する。入力部としての操作表示部１３は、買い物金額や暗証番号等の決済情報を入力するとともに、決済結果を表示する。操作表示部１３は、タッチパネル式入力表示装置である。番号格納部１４は、決済端末１の個体番号「４６３６３６３６３６３」、電話番号「０８０９２９２８１８１」、第1の認証番号「９９９９」及び第２の認証番号「１１１２」等を格納する。個体番号は、決済端末毎に予め定められた決済端末１に固有の番号であり、電話番号は通常の電話番号である。第1の認証番号「９９９９」及び第２の認証番号「１１１２」については後述する。
【００１８】
端末送信部１５は、端末管理サーバ２へ端末登録依頼又は端末認証依頼を送信する。端末登録依頼及び端末認証依頼は、第２の認証番号「１１１２」を送信することにより行う。その際、個体番号「４６３６３６３６３６３」、電話番号「０８０９２９２８１８１」が付加されて送信される。結果受信部１６は、端末管理サーバ２から返信される登録結果又は認証結果を受信する。そして、決済端末１の端末制御部１１はこれらの動作を制御する。
【００１９】
端末管理サーバ２は、通信回線５を介して決済端末１及び決済サーバ６と接続可能になっている。端末管理サーバ２は、決済端末１に対する端末認証を行う。決済サーバ６は、端末管理サーバ２が端末認証を行った決済端末１からのクレジット決済依頼を受信し、当該顧客のクレジット決済を行う。決済サーバ６の詳細については、説明を省略する。
【００２０】
端末管理サーバ２のサーバ送受信部２２は、決済端末１からの端末登録依頼又は端末認証依頼を受信し、決済端末１へ登録結果又は認証結果を返送する。端末登録依頼及び端末認証依頼は、前述のように第２の認証番号「１１１２」、個体番号「４６３６３６３６３６３」、電話番号「０８０９２９２８１８１」を含む。登録部２３は、決済端末１から端末登録依頼があると、第２の認証番号「１１１２」をキーに、個体番号「４６３６３６３６３６３」及び電話番号「０８０９２９２８１８１」を番号格納データベース２５へ格納する。
【００２１】
認証処理部２４は、決済端末１から端末認証依頼があると、番号格納データベース２５に格納された個体番号「４６３６３６３６３６３」をキーに第２の認証番号「１１１２」をチェックする。番号格納データベース２５は、第２の認証番号「１１１２」、個体番号「４６３６３６３６３６３」及び電話番号「０８０９２９２８１８１」を格納する。そして、端末管理サーバ２のサーバ制御部２１はこれらの動作を制御する。
【００２２】
図２は第１の実施の形態に関する決済端末１とクレジットカード読取装置４を示す外観図である。決済端末１は、通常のスマートフォンに本実施の形態に関するアプリケーションプログラムをインストールすることにより形成される。決済端末１は、操作表示部１３を有し、指で所定のデータを入力することができる。操作表示部１３には、買い物金額又は暗証番号などを入力するためのテンキー３１、登録依頼を決定し送信する登録依頼キー３２及び認証依頼を決定し送信する認証依頼キー３３が表示される。決済端末１を初期登録するときは、後に図５（ａ）で示す第１の認証番号「９９９９」の入力画面３５が表示される。端末管理サーバ２の端末認証を操作するときは、後に図５（ｂ）で示す第２の認証番号「１１１２」の入力画面３６が表示される。更に、端末管理サーバ２から登録結果又は認証結果を受信したときには、操作表示部１３は図示しない決済結果が表示される。
【００２３】
決済端末１には、イヤフォンジャック３４が設けられている。イヤフォンジャック３４にクレジットカード読取装置４の端子４２を挿入し接続することにより、クレジットカード情報がクレジットカード読取装置４から決済端末１へ送信される。図示しないクレジットカードをクレジットカード読取装置４のスリット４１にスライドさせることにより、クレジットカードの磁気情報が読み取られる。なお、クレジットカード読取装置４の製品としては、ウェルコムデザイン社「ＵｎｉＭａｇ（登録商標）」、日本ポステック社イヤフォンジャック型磁気カードリーダー「ＪＰＴ−Ｓ１００」が市販されている。
【００２４】
図３は第１の実施の形態に関する端末認証システムの動作の概略を示すフロー図である。更に、図６は第１の実施の形態に関する決済端末１の端末登録依頼の動作を示すフローチャート、図7は第１の実施の形態に関する決済端末１の端末認証依頼の動作を示すフローチャート、図８は第１の実施の形態に関する端末管理サーバ２の動作を示すフローチャートである。
【００２５】
（１）まず図３と図８により、番号格納データベース２５へ第２の認証番号を登録する動作について説明する。
Ｓ３０１：図示しない端末管理事業者は、加盟店の複数の決済端末１に対して第２の認証番号を発行する。第２の認証番号は加盟店の決済端末毎に台数分（ここでは３件）だけ割り当てられて発行され、認証番号払出しリスト２６として作成される。
【００２６】
Ｓ３０２：作成された３件の第２の認証番号は、端末管理サーバ２に接続された番号格納データベース２５に登録される。即ち、端末管理サーバ２のサーバ制御部２１は、登録部２３に対し、認証番号払出しリスト２６の第２の認証番号を番号格納データベース２５へ格納するよう指示する。図４は端末管理サーバ２の番号格納データベース２５の格納状況を示す説明図である。同図（ａ）は、番号格納データベース２５における認証番号払出しリスト２６の第２の認証番号を格納した状況を示す説明図である。認証番号欄には３件の第２の認証番号「１１１１」、「１１１２」及び「１１１３」が格納され、これらに対応する電話番号欄、個体番号欄は空欄である。
【００２７】
その後、端末管理事業者は、該当する加盟店の加盟店管理者に対し、当該加盟店の認証番号リスト２７を払い出す。認証番号リスト２７の払い出しを受けた加盟店管理者は、認証番号リスト２７の第２の認証番号のうちの一つの第２の認証番号「１１１２」を決済端末１に対して払い出す。
【００２８】
（２）次に、図３及び図６により、決済端末１からの端末登録依頼の動作について説明する。
Ｓ１００：第２の認証番号「１１１２」の払い出しの後、決済端末１を扱う店員は、決済端末１を初期登録するため、決済端末１の端末認証アプリケーションプログラムについて初回の起動を行う。
【００２９】
Ｓ１０１：決済端末１の端末認証アプリケーションプログラム内の動作において、店員はローカル認証の動作を行う。即ち、店員は、決済端末１の操作表示部１３のテンキー３１から、当該決済端末１が所属する加盟店の管理者のみが知っている第１の認証番号「９９９９」を入力する。加盟店管理者のみ知っている第１の認証番号「９９９９」とは、図示しない端末管理事業者によって加盟店管理者のみに与えられた認証番号である。これは端末認証アプリケーションプログラムから当該決済端末１を初期登録するときに必須となるローカル認証のために与えられた認証番号である。即ち、予め決済端末１に登録された前記加盟店の管理者に対して発行された第１の認証番号「９９９９」と、入力された第１の認証番号「９９９９」とが一致したときに決済端末１の初期登録を開始することになる。決済端末１の端末制御部１１は、操作表示部１３に対し、入力された第１の認証番号「９９９９」を受付けるよう指示する。図５は決済端末１の操作表示部１３の認証番号の入力画面を示す説明図である。同図（ａ）は第１の認証番号「９９９９」の入力画面３５を示す。
【００３０】
Ｓ１０２：決済端末１の端末制御部１１は、入力された第１の認証番号「９９９９」と番号格納部１４に予め格納された第１の認証番号「９９９９」が一致するかどうかチェックする。一致するときは、ローカル認証が行われ、即ち、決済端末１の初期登録が開始されて次へ進み、不一致のときはステップ１０１へ戻る。ここで、加盟店管理者のみ知っている第１の認証番号「９９９９」を設定したので、スマートフォンを決済端末１として使用することに対しセキュリティを確保することができる。なお、第１の認証番号「９９９９」を入力するのは、ステップ１００において決済端末１を最初に起動するときだけであり、ローカル認証が行われると、以後は不要である。また、第１の認証番号「９９９９」を入力するローカル認証は、決済端末１の台数分行う必要がある。
【００３１】
（３）次に、図３及び図６により、決済端末１からの端末登録依頼の動作について説明する。
Ｓ１０３：次に店員は、決済端末１の操作表示部１３のテンキー３１から第２の認証番号「１１１２」を入力する。即ち、決済端末１の端末制御部１１は操作表示部１３に対し、第２の認証番号「１１１２」の入力を受付けるよう指示する。図５（ｂ）に第２の認証番号「１１１２」の入力画面３６を示す。
【００３２】
Ｓ１０４：その後入力画面３６は切り替わり、店員は、操作表示部１３の登録依頼ボタン３２を押下する。即ち、決済端末１の端末制御部１１は操作表示部１３に対し、登録依頼ボタン３２の押下を受付けるよう指示する。
Ｓ１０５：登録依頼ボタン３２の押下があると、決済端末１の端末制御部１１は、番号格納部１４に対し、決済端末１の個体番号「４６３６３６３６３６３」及び電話番号「０８０９２９２８１８１」を読み出すよう指示する。
【００３３】
Ｓ１０６：そして、決済端末１の端末制御部１１は、端末送信部１５に対し、第２の認証番号「１１１２」、個体番号「４６３６３６３６３６３」及び電話番号「０８０９２９２８１８１」を端末管理サーバ２に対し端末登録依頼として送信するよう指示する。
Ｓ１０７：決済端末１の端末制御部１１は、結果受信部１６に対し、端末管理サーバ２からの端末登録結果を受信するよう指示する。そして、端末制御部１１は、操作表示部１３に対し、端末登録結果を表示するよう指示する。
【００３４】
（４）次に図３及び図８により、決済端末１から端末登録依頼を受信した端末管理サーバ２の動作を説明する。
Ｓ３０３：端末管理サーバ２のサーバ制御部２１はサーバ送受信部２２に対し、決済端末１からの端末登録依頼を受信するよう指示する。前述の通り、端末登録依頼には第２の認証番号「１１１２」、個体番号「４６３６３６３６３６３」及び電話番号「０８０９２９２８１８１」が含まれる。
Ｓ３０４：端末管理サーバ２のサーバ制御部２１は登録部２３に対し、第２の認証番号「１１１２」をキーに、個体番号「４６３６３６３６３６３」及び電話番号「０８０９２９２８１８１」を番号格納データベース２５へ格納するよう指示する。
【００３５】
図４（ｂ）は、番号格納データベース２５における端末登録依頼によって電話番号、個体番号を格納した状況を示す説明図である。認証番号欄には第２の認証番号「１１１１」、「１１１２」及び「１１１３」が格納され、第２の認証番号「１１１２」に対応する電話番号欄には電話番号「０８０９２９２８１８１」が、個体番号欄には個体番号「４６３６３６３６３６３」が格納される。
Ｓ３０５：端末管理サーバ２のサーバ制御部２１はサーバ送受信部２２に対し、決済端末１に対し登録結果を返信するよう指示する。これにより、決済端末１の端末登録が完了する。そして、加盟店の残り２台分についても端末登録が行われる。
【００３６】
（５）次に図３及び図７により、業務開始に伴い、決済端末１からの端末認証依頼の動作について説明する。
Ｓ２００：その後、決済端末１を扱う店員は業務を開始するとき、決済端末１の端末認証アプリケーションプログラムについて次回の起動を行う。
Ｓ２０１：次に店員は、決済端末１の操作表示部１３のテンキー３１から第２の認証番号「１１１２」のみを入力する。即ち、決済端末１の端末制御部１１は操作表示部１３に対し、第２の認証番号「１１１２」のみの入力を受付けるよう指示する。第２の認証番号「１１１２」の入力画面３６は図５（ｂ）に示す通りである。
【００３７】
Ｓ２０２：その後、入力画面３６は切り替わり、店員は、操作表示部１３の認証依頼ボタン３３を押下する。即ち、決済端末１の端末制御部１１は操作表示部１３に対し、登録依頼ボタン３３の押下を受付けるよう指示する。
Ｓ２０３：認証依頼ボタン３３の押下があると、決済端末１の端末制御部１１は、番号格納部１４に対し、決済端末１の個体番号「４６３６３６３６３６３」及び電話番号「０８０９２９２８１８１」を読み出すよう指示する。
【００３８】
Ｓ２０４：そして、決済端末１の端末制御部１１は、端末送信部１５に対し、第２の認証番号「１１１２」、個体番号「４６３６３６３６３６３」及び電話番号「０８０９２９２８１８１」を端末管理サーバ２に対し端末登録依頼として送信する。
Ｓ２０５：決済端末１の端末制御部１１は、結果受信部１６に対し、端末管理サーバ２からの端末登録結果の受信を待つよう指示する。
【００３９】
（６）次に図３及び図８により、決済端末１から端末認証依頼を受信した端末管理サーバ２の動作を説明する。
Ｓ３０６：端末管理サーバ２のサーバ制御部２１はサーバ送受信部２２に対し、決済端末１からの端末認証依頼を受信するよう指示する。前述の通り、端末認証依頼には第２の認証番号「１１１２」、個体番号「４６３６３６３６３６３」及び電話番号「０８０９２９２８１８１」が含まれる。
【００４０】
Ｓ３０７：端末管理サーバ２のサーバ制御部２１は認証処理部２４に対し、個体番号「４６３６３６３６３６３」をキーに、番号格納データベース２５の第２の認証番号「１１１２」をチェックするよう指示する。番号格納データベース２５には、第２の認証番号、電話番号及び個体番号が図４（ｂ）に示すように格納されている。個体番号欄には個体番号「４６３６３６３６３６３」が格納され、対応する認証番号欄には第２の認証番号「１１１２」が正しく格納されていることを示す。従って、端末認証をすることができる。
Ｓ３０８：端末管理サーバ２のサーバ制御部２１はサーバ送受信部２２に対し、決済端末１に対し認証結果を返信するよう指示する。これにより、決済端末１の端末認証が完了する。
【００４１】
こうして前記ステップ２０５の通り、正しい認証結果を受信した決済端末９１において、端末制御部１１は、操作表示部１３に対し、端末登録結果を表示するよう指示する。その後、クレジットカード情報がクレジットカード読取装置４から決済端末１へ送信される。そして、店員によって顧客のクレジットカードの利用の決済の手順を行うことになる。端末管理サーバ２から端末認証が得られた決済端末１は、決済サーバ６に対しクレジット決済依頼を送信し、決済サーバ６は当該顧客のクレジット決済を行う。
【００４２】
以上説明したように、本実施の形態によれば、業務開始時において、決済端末１の端末認証に当たり、第２の認証番号のみを入力すればよいので、入力処理を簡潔にすることができる。更に、第１の認証番号を入力して最初にローカル認証を行うようにしたので、スマートフォンを決済端末１として使用することに対しセキュリティを確保することができる。その結果、端末管理事業者が行うセキュリティ管理は、第２の認証番号のみでよいので、端末管理の負担を軽減することを可能とする端末認証システムを提供することを可能とする。
【符号の説明】
【００４３】
１      決済端末
２      端末管理サーバ
４      クレジットカード読取装置
５      通信回線
６      決済サーバ
１１    端末制御部
１２    カード情報受信部
１３    操作表示部
１４    番号格納部
１５    端末送信部
１６    結果受信部
２１    サーバ制御部
２２    サーバ送受信部
２３    登録部
２４    認証処理部
２５    番号格納データベース
３１    テンキー
３２    登録依頼キー
３３    認証依頼キー
３４    イヤフォンジャック
【図１】
0005857842.tif 000002
【図２】
0005857842.tif 000003
【図３】
0005857842.tif 000004
【図４】
0005857842.tif 000005
【図５】
0005857842.tif 000006
【図６】
0005857842.tif 000007
【図７】
0005857842.tif 000008
【図８】
0005857842.tif 000009
【図９】
0005857842.tif 000010